(57)【要約】キャリングケースを含む携帯電子デバイス用のキャリングケース・アセンブリであり、キャリングケースは、携帯電子デバイスを受け入れるための区画をつくる外部ケーシング、区画の範囲内に携帯電子デバイスを確保する手段、外部ケーシングの表面に取り付けられて、インタロックメカニズムの第２コンポーネントを有して構成されるユーザウェアラブル・ストラップ上にキャリングケースを掛けるために利用されるインタロックメカニズムの第１コンポーネントを有する。アセンブリは、（ｉ）保持ラッチをユーザウェアラブル・ストラップに確実に取り付ける第１接続部、（ｉｉ）インタロックメカニズムの第２コンポーネントとして役立つ第２接続部を有し、第２接続部は、キャリングケースの表面に取り付けられる第１コンポーネントを受け入れて、保持ラッチを介してキャリングケースがユーザウェアラブルデバイスに固定的にかつ着脱自在に取り付けられることを可能にする。【選択図】図１
2016509701.tif 000002
【特許請求の範囲】
【請求項１】
携帯電子デバイス用のキャリングケース・アセンブリであって、前記キャリングケース・アセンブリは、キャリングケースを備え、前記キャリングケースは、中での保管および使用のために携帯電子デバイスが挿入されることのできる区画をつくる外部ケーシング、前記電子デバイスが前記区画に挿入されたときに、前記区画の範囲内に前記携帯電子デバイスを確保する手段、および、前記外部ケーシングの表面に取り付けられて、インタロックメカニズムの第２コンポーネントを有して構成されるユーザウェアラブル・ストラップ上に前記キャリングケースを掛けるために利用される前記インタロックメカニズムの第１コンポーネント、を備える、キャリングケース・アセンブリ。
【請求項２】
前記キャリングケースは、前記挿入された携帯電子デバイスのスクリーンに対する見えるアクセスを提供する前記外部ケーシングの範囲内のスクリーン・アクセス面をさらに備え、前記スクリーン・アクセス面は、前記挿入された携帯電子デバイスのスクリーンの表面を覆って保護する材料を含み、前記スクリーン・アクセス面は、前記スクリーン・アクセス面が材料の外面上の触覚入力を移すことを可能にして、前記触覚入力を前記携帯電子デバイスの前記スクリーンに転送することを可能にして、前記携帯電子デバイスがタッチスクリーンインタフェースを有するときに前記電子デバイスをコントロールすることを可能にする材料を含む、請求項１に記載のキャリングケース・アセンブリ。
【請求項３】
前記インタロックメカニズムの前記第１コンポーネントは、前記第１コンポーネントが前記第２コンポーネントと連結されるときに、前記キャリングケース・アセンブリを着用しているユーザのボディの方へ向く前記挿入された電子デバイスの前記スクリーンを可能にする向きにおいて前記キャリングケースの上部に位置し、前記キャリングケースは、前記キャリングケースが他のオブジェクトと強力に接触するときに、前記キャリングケース・アセンブリを着用している前記ユーザの前記ボディにぶつかる前記キャリングケースの衝撃を吸収して、前記挿入された携帯電子デバイスを損傷から保護するために、前記スクリーン・アクセス面の周辺部の範囲内に追加のクッション材を含む、請求項２に記載のキャリングケース・アセンブリ。
【請求項４】
前記キャリングケースは、前記スクリーン・アクセス面の周辺部に取り付けられて、（ｉ）前記挿入された携帯電子デバイスの前記スクリーンをカバーしてそれへのアクセスを防止する閉位置、および（ｉｉ）前記スクリーン・アクセス面を露出させる開位置、のうちの１つに移動可能であるカバーフラップをさらに備える、請求項２に記載のキャリングケース・アセンブリ。
【請求項５】
前記カバーフラップは、（ａ）永続的な接着手段によって前記キャリングケースの周辺部表面に一端で添付される、（ｂ）前記キャリングケースの前記周辺部表面に一端で縫いつけられる、および（ｃ）１つ以上の非永続的な接着手段を介して前記スクリーン・アクセス面の前記周辺部に着脱自在に取り付けられる、のうちの１つであり、前記カバーフラップは、前記カバーフラップの１つ以上の周辺部表面に１つ以上の前記接着手段を含み、前記接着手段は、前記カバーフラップが前記スクリーン・アクセス面の対向する周辺部表面に確実に取り付けられることを可能にする、請求項４に記載のキャリングケース・アセンブリ。
【請求項６】
前記カバーフラップの内面に埋め込まれて、前記カバーフラップが前記開位置にあるときに利用できるユーザインタフェースデバイス、および、前記ユーザインタフェースデバイスが前記挿入された携帯電子デバイスに対して通信的に結合することを可能にする通信メカニズム、をさらに備え、前記通信メカニズムは、（ｉ）前記カバーフラップから前記区画の内部まで延びて、前記挿入された携帯電子デバイスへの挿入用の接続端部を有するワイヤ接続、および（ｉｉ）前記ユーザインタフェースデバイスを用いて前記挿入された携帯電子デバイスのペアリングに続き、つくられた無線チャネルを介して前記挿入された携帯電子デバイスと接続するワイヤレス接続、のうちの１つ以上を含む、請求項５に記載のキャリングケース・アセンブリ。
【請求項７】
ユーザウェアラブル・ストラップに取り付けるために設計される保持クリップであって、前記保持クリップは、（ｉ）前記保持クリップを前記ユーザウェアラブル・ストラップに確実に取り付ける第１接続部、および（ｉｉ）前記インタロックメカニズムの前記第２コンポーネントとして役立つ第２接続部、を有し、前記第２接続部は、前記キャリングケースの表面に取り付けられる前記第１コンポーネントを受け入れて、前記キャリングケースが前記保持クリップに固定的におよび着脱自在に取り付けられることを可能にし、前記保持クリップは、前記携帯電子デバイスおよび前記キャリングケースに挿入された他のオブジェクトを有する前記キャリングケースを前記クリップから離れて移動可能につるすことをサポートする圧縮力および張力の強さを有する材料でできている、請求項１に記載のキャリングケース・アセンブリ。
【請求項８】
前記保持クリップは、前記第１接続部で前記ユーザウェアラブル・ストラップに永続的に添付されて、前記第２コンポーネントを有する前記キャリングケースに取り付けられる前記第１コンポーネントの効率的な連結を可能にするために、前記ユーザウェアラブル・ストラップに関してある角度で配置される、請求項７に記載のキャリングケース・アセンブリ。
【請求項９】
前記保持クリップは、前記ユーザウェアラブル・ストラップから別々の、着脱可能なアイテムであり、前記ユーザウェアラブル・ストラップの内部にすべり込むために、垂直に下方へ延びる第１部分、前記ユーザウェアラブル・ストラップに対する確実な接続を可能にする幅および長さ寸法を有する、前記第１部分と中間部分との間の細長部を提供するために、前記第１部分に接続されて、前記第１部分を有する前記接続端部から離れて下方へ延びる中間部分、前記中間部分に接続して、デバイス接続部分上の前記第１コンポーネントの効率的な連結をサポートする角度で前記中間部分から延び、そして、前記インタロックメカニズムの前記第２コンポーネントである特定の寸法を有して構成されるデバイス接続部分、をさらに備え、前記保持クリップの前記第１部分は、前記保持クリップに取り付けられるときに、前記キャリングケースの横移動をサポートするために、前記中間部分を有する前記接続端部から対向する円形端部において終端する、請求項７に記載のキャリングケース・アセンブリ。
【請求項１０】
前記インタロックメカニズムは、前記第１コンポーネントおよび前記第２コンポーネントのうちの１つがバックルであり、そして前記第１コンポーネントおよび前記第２コンポーネントのうちの次の１つがラッチである、バックルおよびラッチアセンブリを備え、前記バックルの角度は、前記ウェアラブル・ストラップに取り付けられるときに、前記キャリングケースの異なる向きに適応するために調節可能である、請求項１に記載のキャリングケース・アセンブリ。
【請求項１１】
前記インタロックメカニズムは、前記バックルへの前記ラッチの挿入に続いて前記インタロックメカニズムが係止されて、バックルの実際のユーザ操作なしにラッチがバックルから取り外されるのを防止することを可能にする係止コンポーネントを含む、請求項１０に記載のキャリングケース・アセンブリ。
【請求項１２】
前記インタロックメカニズムは、前記第１コンポーネントである第１の磁石、および前記第２コンポーネントである第２の磁石を有する、一対の磁石を備え、前記一対の磁石は、互いに連結されるときに、前記キャリングケースを適所に保ち、そして前記キャリングケースの移動を可能にする充分な磁気力を有する、請求項１に記載のキャリングケース・アセンブリ。
【請求項１３】
前記キャリングケースは、堅いバッグ、柔軟なバッグ、スリーブ、成形されたインジェクションによってつくられるアイテム、および、前記携帯電子デバイスの挿入を可能にして、前記インタロックメカニズムを介してユーザウェアラブル・ストラップに取り付け可能およびそれから取り外し可能であるファブリック・エンクロージャ、のうちの１つである、請求項１に記載のキャリングケース・アセンブリ。
【請求項１４】
前記ユーザウェアラブル・ストラップは、前記キャリングケース・アセンブリを着用するユーザの少なくとも一方の肩を越えて延びるストラップであり、前記ストラップは、少なくとも前記キャリングケース・アセンブリを担持することに適応するサイズであり、そしてユーザの１つ以上の身の回り品の挿入のための１つ以上のポケットを含む、請求項１に記載のキャリングケース・アセンブリ。
【請求項１５】
前記キャリングケースの前記区画は、特定のタイプ、形状、およびサイズの携帯電子デバイスの挿入およびサポートを可能にするサイズ寸法を有し、前記キャリングケースの前記区画の前記寸法は、複数の異なるサイズの携帯電子デバイスにフィットするために調節可能であり、前記キャリングケースは、タブレットのようなシングルパネルデバイス、ラップトップコンピュータのようなマルチパネル電子デバイス、のうちの１つのケースとして構成される、請求項１に記載のキャリングケース・アセンブリ。
【請求項１６】
前記キャリングケースは、ラップトップ・キャリングケースであり、前記キャリングケースは、前記スクリーン・アクセス面の周辺部に取り付けられて、（ｉ）ラップトップをカバーしてそれへのアクセスを防止する閉位置、および（ｉｉ）カバーフラップおよび前記キャリングケースの対向面においてラップトップキーボードおよびラップトップスクリーンを露出させる開位置、のうちの１つに移動可能であるカバーフラップ、および、前記カバーフラップおよび前記キャリングケースを閉位置に保持するために、前記カバーフラップの外部および前記キャリングケースの外部を横切って延びるセキュリティ・ストラップ、をさらに備える、請求項１に記載のキャリングケース・アセンブリ。
【請求項１７】
前記キャリングケースは、前記キャリングケースが移動可能な前記ユーザウェアラブル・ストラップからの距離を制限するために、前記キャリングケースから前記ユーザウェアラブル・ストラップ上のリトラクション・デバイスまで延びるワイヤの固定可能な接続を可能にするアタッチメント、および、前記挿入された個人用電子デバイスが前記キャリングケース内に位置する一方で、前記挿入された個人用電子デバイスの入／出力ジャック、電力ポート、通信ポート、ユーザーインターフェース・アフォーダンス、およびカメラのうちの対応する１つ以上へのアクセスをサポートするための、前記外部ケーシングの範囲内の１つ以上の開口、をさらに備える、請求項１に記載のキャリングケース・アセンブリ。
【請求項１８】
前記キャリングケースは、前記キャリングケースが直立した向きに起立することを可能にするピボットを提供するために、前記キャリングケースから離れて延長可能である少なくとも１つの部分を有する折りたたみフラップをさらに備え、前記折りたたみフラップは、前記キャリングケースが直立した位置にないときに、前記キャリングケースの表面に隣接した平坦なアセンブリを示すように折りたたむ複数の可動部品を有して構成される、請求項１に記載のキャリングケース・アセンブリ。
【請求項１９】
前記折りたたみフラップは、前記キャリングケースから取り外し可能であり、そして１つ以上の接着手段を用いて取り付け可能である、請求項１７に記載のキャリングケース・アセンブリ。
【請求項２０】
前記ユーザウェアラブル・ストラップは、（ａ）サッシュのように着用可能な肩掛けストラップ、（ｂ）ベルト、および（ｃ）首まわりのストラップ、のうちの１つとして構成され、前記キャリングケースが前記インタロックメカニズムによって前記ユーザウェアラブル・ストラップに取り付けられるときに、前記ユーザウェアラブル・ストラップは、そこに挿入される前記携帯電子デバイスを有する前記キャリングケースの重量を支持する丈夫な材料のループを備え、前記パーソナルウェアラブル・ストラップは、リトラクションメカニズムおよび、前記ユーザウェアラブル・ストラップから離れてストリングの長さの距離まで前記キャリングケースの制限された移動を可能にするために、一端が前記リトラクションメカニズムに接続されて、他端が前記キャリングケースに取り付け可能であるワイヤ、を有するリトラクション・コンポーネントを含む、請求項１に記載のキャリングケース・アセンブリ。
【発明の詳細な説明】
【技術分野】
【０００１】
［優先権の主張］
本願は、２０１２年１２月１４日出願の米国仮特許出願第６１／７３７，３３１号の出願日の利益を請求し、その内容は参照により本明細書に組み込まれる。
【背景技術】
【０００２】
［技術分野］
本開示は、一般に、キャリングケース・アセンブリに関し、そして特に、携帯電子デバイス用に設計されるキャリングケースに関する。
【０００３】
［関連技術の説明］
バックパックおよび他のパーソナル・キャリー・アイテム（例えばメッセンジャ・バッグ、財布およびハンドバッグ）は、身の回り品をバッグの内部に収納するように伝統的に設計されている。収納されたアイテムは、キャリングを開いてそこからアイテムを取り除くことによってのみアクセスされることができる。現在、電子デバイスを必要としているユーザ操作の手早い着脱可能な使用が特定のインタフェーシング機能を操作するのを許す機能的キャリングバッグはない。デバイスがユーザ・インタフェーシングのために利用されているにつれて、すべての既存のキャリングバッグは、ユーザが最初にキャリアから電子デバイスを取り出すか、またはキャリア内に含まれている電子デバイスを有することを必要とする。
【発明の概要】
【課題を解決するための手段】
【０００４】
記載された実施形態は、ラッチ・アンド・キャリー着脱可能キャリングケース、および電子デバイス用のキャリングケース・アセンブリを提供する。一実施形態によれば、キャリングケース・アセンブリは、特別に設計されたキャリングケースを含む。キャリングケースは、中での保管および使用のためにキャリングケースに挿入される携帯電子デバイスを受け入れるための区画をつくる外部ケーシング、電子デバイスが区画に挿入されたときに、区画の範囲内に携帯電子デバイスを確保するための手段を含む。キャリングケースはまた、外部ケーシングの表面に取り付けられて、インタロックメカニズムの第２コンポーネントを有して構成されるユーザウェアラブル・ストラップ上にキャリングケースを掛けるために利用されるインタロックメカニズムの第１コンポーネントを含む。
【０００５】
一実施形態において、キャリングケースは、挿入された携帯電子デバイスのスクリーンに対する見えるアクセスを提供する外部ケーシングの範囲内のスクリーン・アクセス面をさらに含む。スクリーン・アクセス面は、スクリーン・アクセス面が材料の外面上の触覚入力を移すことを可能にして、触覚入力を携帯電子デバイスのスクリーンに転送することを可能にして、携帯電子デバイスがタッチスクリーンインタフェースを有するときに電子デバイスをコントロールすることを可能にする材料を含む。少なくとも１つの実施において、第１コンポーネントは、第１コンポーネントが第２コンポーネントと連結されるときに、キャリングケース・アセンブリを着用しているユーザのボディの方へ向く挿入された電子デバイスのスクリーンを可能にする向きにおいてキャリングケースの上部に位置する。
【０００６】
１つ以上の実施形態において、キャリングケースはまた、スクリーン・アクセス面の周辺部に取り付けられて、（ｉ）挿入された携帯電子デバイスのスクリーンをカバーしてそれへのアクセスを防止する閉位置、および（ｉｉ）スクリーン・アクセス面を露出させる開位置、のうちの１つに移動可能であるカバーフラップを含む。一態様によれば、カバーフラップは、（ａ）永続的な接着手段によってキャリングケースの周辺部表面に一端で添付される、（ｂ）キャリングケースの周辺部表面に一端で縫いつけられる、および（ｃ）１つ以上の非永続的な接着手段を介してスクリーン・アクセス面の周辺部に着脱自在に取り付けられる、のうちの１つである。
【０００７】
一実施形態において、ユーザインタフェースデバイスは、カバーフラップの内面に埋め込まれて、カバーフラップが開位置にあるときに利用できる。通信メカニズムは、ユーザインタフェースデバイスが挿入された携帯電子デバイスに対して通信的に結合することを可能にし、通信メカニズムは、（ｉ）カバーフラップから区画の内部まで延びて、挿入された携帯電子デバイスへの挿入用の接続端部を有するワイヤ接続、および（ｉｉ）ユーザインタフェースデバイスを用いて挿入された携帯電子デバイスのペアリングに続き、つくられた無線チャネルを介して挿入された携帯電子デバイスと接続するワイヤレス接続、のうちの１つ以上を含む。
【０００８】
一態様によれば、キャリングケース・アセンブリは、ユーザウェアラブル・ストラップに取り付けるために設計される保持ラッチであって、（ｉ）保持ラッチをユーザウェアラブル・ストラップに確実に取り付ける第１接続部、および（ｉｉ）インタロックメカニズムの第２コンポーネントとして役立つ第２接続部、を有し、第２接続部は、キャリングケースの表面に取り付けられる第１コンポーネントを受け入れて、キャリングケースが保持ラッチに固定的におよび着脱自在に取り付けられることを可能にする、保持ラッチをさらに含む。保持ラッチは、携帯電子デバイスおよびキャリングケースに挿入された他のオブジェクトを有するキャリングケースをラッチから離れて移動可能につるすことをサポートする圧縮力および張力の強さを有する材料でできている。保持ラッチは、第１接続部でユーザウェアラブル・ストラップに永続的に添付されるか、または、ユーザウェアラブル・ストラップから別々の、着脱可能なアイテムである。別々のコンポーネントのとき、ラッチは、ユーザウェアラブル・ストラップの内部にすべり込むために、垂直に下方へ延びる第１部分、ユーザウェアラブル・ストラップに対する確実な接続を可能にする幅および長さ寸法を有する、第１部分と中間部分との間の細長部を提供するために、第１部分に接続されて、第１部分を有する前記接続端部から離れて下方へ延びる中間部分、中間部分に接続して、デバイス接続部分上の第１コンポーネントの効率的な連結をサポートする角度で中間部分から延び、そして、インタロックメカニズムの第２コンポーネントである特定の寸法を有して構成されるデバイス接続部分、をさらに含む。
【０００９】
１つ以上の実施形態において、インタロックメカニズムは、第１コンポーネントおよび第２コンポーネントのうちの１つがバックルであり、そして第１コンポーネントおよび第２コンポーネントのうちの次の１つがラッチである、バックルおよびラッチアセンブリを備える。
【００１０】
開示の一追加態様によれば、キャリングケース・アセンブリのコンポーネントであるユーザウェアラブル・ストラップは、キャリングケース・アセンブリを着用するユーザの少なくとも一方の肩を越えて延びるストラップを含む。ストラップは、少なくともキャリングケース・アセンブリを担持することに適応するサイズであり、そしてユーザの１つ以上の身の回り品の挿入のための１つ以上のポケットを含む。
【００１１】
キャリングケース・アセンブリは、キャリングケースが直立した向きに起立することを可能にするピボットを提供するために、キャリングケースから離れて延長可能である少なくとも１つの部分を有する折りたたみフラップをさらに含む。一実施形態において、折りたたみフラップは、キャリングケースが直立した位置にないときに、キャリングケースの表面に隣接した平坦なアセンブリを示すように折りたたむ複数の可動部品を有して構成される。
【００１２】
上記の概要は、詳細の簡略化したもの、一般化したものおよび省略したものを含み、そして、請求された内容の総合的な説明を意図しなくて、むしろ、それと関連する機能性の一部の短い概要を提供することを意図する。請求された内容の他のシステム、方法、機能性、特徴および利点は、以下の図および詳細な説明文の吟味に応じて当業者にとって明らかであるかまたはなる。
【００１３】
実施形態の説明は、添付の図に関連して読まれることができる。説明の単純性および明快さのために、図に示される要素は、一定の比率で必ずしも描かれたわけではないと認識される。例えば、要素のいくつかの寸法は、他の要素と関連して誇張される。本開示の教示を組み込んでいる実施形態は、本明細書において表わされる図に関して図と共に記載される。
【図面の簡単な説明】
【００１４】
【図１】図１は、一実施形態による、インタロックデバイスの第１コンポーネントを取り付けたキャリングケース例の垂直側面図を示す。
【図２】図２は、一実施形態による、スクリーン・アクセス面をさらに表示する、図１のキャリングケース例の正面図を示す。
【図３Ａ】図３Ａは、一実施形態による、キャリングケース例の内部区画への携帯電子デバイスの挿入を示す。
【図３Ｂ】図３Ｂは、一実施形態による、キャリングケース例の内部区画への携帯電子デバイスの挿入を示す。
【図４】図４は、一以上の実施形態による、キャリングケースのスクリーン・アクセス面をカバーするフラップ例の特徴を示す。
【図５】図５は、一実施形態による、キャリングケースのポケットのセットおよび他の機能態様をさらに表示する、図１のキャリングケース例の背面図を表わす。
【図６】図６は、一実施形態による、ケース用のスタンドベース（またはピボット）を提供するために開位置まで広げられる折りたたみ可能なフラップを有するキャリングケース例の等角背面図である。
【図７Ａ】図７Ａは、一実施形態による、キャリングケースをユーザウェアラブル・ストラップに掛けるためのインタロックデバイスの第２コンポーネントとして役立つ保持クリップ例の側面図を提供する。
【図７Ｂ】図７Ｂは、一実施形態による、円形ベースを有する、図７Ａの保持クリップのベース部材の正面図を示す。
【図８】図８は、一以上の実施形態による、バックルおよびラッチアセンブリでできているインタロックメカニズム例を示す。
【図９】図９は、一実施形態による、インタロックメカニズムの第２コンポーネントとして役立つウェアラブル・ストラップに取り付けられるラッチを有するキャリングケース・アセンブリを示す。
【図１０】図１０は、別の実施形態による、インタロックメカニズムの第２コンポーネントとしてウェアラブル・ストラップに取り付けられるバックルおよび第１コンポーネントとして役立つラッチを有するバックルおよびラッチシステムであるインタロックメカニズムを有するキャリングケース・アセンブリ例を示す。
【図１１】図１１は、一実施形態による、インタロックメカニズムとしてバックルおよびラッチシステムを用いてウェアラブル・ストラップへのキャリングケースのユーザ・インタロックを示し、ラッチは、ウェアラブル・ストラップに固定的に取り付けられる。
【図１２】図１２は、一実施形態による、インタロックメカニズムとしてバックルおよびラッチシステムを用いてウェアラブル・ストラップへのキャリングケースのユーザ・インタロックを示し、ラッチは、ウェアラブル・ストラップに固定的に取り付けられる。
【図１３】図１３は、一実施形態による、ユーザの肩まわりに着られているウェアラブル・ストラップと連結されたキャリングケースを含むキャリングケース・アセンブリ例の携帯性を示す。
【発明を実施するための形態】
【００１５】
携帯電子デバイス用のキャリングケース・アセンブリは、開示される。アセンブリは、キャリングケースを含み、キャリングケースは、携帯電子デバイスを受け入れるための区画をつくる外部ケーシング、区画の範囲内に携帯電子デバイスを確保する手段、および、外部ケーシングの表面に取り付けられて、インタロックメカニズムの第２コンポーネントを有して構成されるユーザウェアラブル・ストラップ上にキャリングケースを掛けるために利用されるインタロックメカニズムの第１コンポーネント、を有する。アセンブリは、（ｉ）保持ラッチをユーザウェアラブル・ストラップに確実に取り付ける第１接続部、および（ｉｉ）インタロックメカニズムの第２コンポーネントとして役立つ第２接続部、を有し、第２接続部は、キャリングケースの表面に取り付けられる第１コンポーネントを受け入れて、保持ラッチを介してキャリングケースがユーザウェアラブルデバイスに固定的におよび着脱自在に取り付けられることを可能にする。
【００１６】
以下の説明は、露出したデバイス面に配置されたユーザ・インタフェーシング・スクリーンを有する電子デバイス用のクリップ・アンド・キャリー着脱可能なキャリングケース・アセンブリの１つ以上の実施形態をさらに提供する。用語「ラッチ・アンド・キャリー」とは、インタロックメカニズムが第２コンポーネントにラッチ係合する第１コンポーネントを含み、中に挿入された電子デバイスを有するキャリングケースがユーザウェアラブル・ストラップからさがっているユーザによって担持されることを可能にするコンポーネントの確実な連結を提供する、キャリングケース・アセンブリの一実施形態を意味する。ラッチ・アンド・キャリーインタロックデバイスを含まない他の実施形態も、本明細書に示される。
【００１７】
開示の例示的実施形態の以下の詳細な説明において、開示が実践されてよい特定の例示的実施形態は、当業者が開示された実施形態を実行することを可能にするために充分詳細に記載される。例えば、具体的な詳細（例えば具体的方法命令、構造、要素、および接続）は、本明細書に示された。しかしながら、示された具体的な詳細が本開示の実施形態を実行するために利用される必要がないことを理解すべきである。他の実施形態が利用されてもよく、そして、論理的な、設計上の、プログラムに基づいた、機械的な、電気的な、および他の変化が開示の一般的範囲を逸脱しないでなされてもよいことも理解される。したがって、以下の詳細な説明は、限定的な意味にとられるべきでなく、そして本開示の範囲は、添付の請求の範囲およびその等価物によって定義される。
【００１８】
「一実施形態」、「実施形態」、「複数の実施形態」または「１つ以上の実施形態」に対する明細書の範囲内の参照は、実施形態に関連して記載される特定の特徴、構造、または特性が本開示の少なくとも１つの実施形態に含まれることを示すことを意図する。明細書中のさまざまな場所におけるこの種のフレーズの外観は、全て同じ実施形態に必ずしも関連しているわけでなく、他の実施形態の別々のまたは代わりの実施形態の相互排除でもない。さらに、いくらかの実施形態によって、そして他によってではなく呈されてもよいさまざまな特徴は、記載される。同様に、他の実施形態でなくいくらかの実施形態の要件でもよいさまざまな要件は、記載される。
【００１９】
本明細書において記載される実行ユーティリティ、ロジック、および／またはファームウェアのそれらのような、特定のコンポーネント、デバイスおよび／またはパラメータ名および／またはその対応する頭字語の使用は、例えば、記載された実施形態においていかなる制限も意味するものでないと理解される。したがって、実施形態は、限定されないが、本明細書においてコンポーネント、デバイス、パラメータ、方法および／または機能を記載するために利用されたものとは異なる技術用語および／または用語を用いて記載されてもよい。実施形態の１つ以上の要素、特徴または概念を記載する際のいかなる特殊なプロトコルまたは商標名の参照も、一実施の例としてのみ提供され、そしてこの種の参照は、異なる要素、特徴、プロトコル、または概念名が利用される実施形態への請求された実施形態の拡張を制限しない。したがって、本明細書において利用される各用語は、その用語が利用される文脈を与えられるその最も幅広い解釈を与えられるべきである。
【００２０】
さらに、さまざまな図において表されて、本明細書において記載される物理コンポーネントおよび基本構成が変化してもよいと、当業者は認める。例えば、キャリングケース・アセンブリ１００またはキャリングケース１０５の、またはそれに関連した図示するコンポーネント（図１〜図４）は、本開示のさまざまな態様を実施するために利用されることができるコンポーネントを強調するためにむしろ代表的であるが、余すところのないことを意図しない。例えば、表されるそれらに加えて、またはその代わりに、他の構造および構成が使用されてもよい。表される例は、目下記載された実施形態および／または一般的開示に関していかなる設計上のまたは他の制限も伝えないかまたは意味しない。
【００２１】
図の異なるビューの説明の範囲内で、同様の要素は、以前の図のそれらとして同様の名前および参照番号を提供される。要素に割り当てられる特定の数字は、単に説明の支援のためにのみ提供されて、記載された実施形態におけるいかなる制限（構造または機能またはその他）も意味しない。
【００２２】
開示は、キャリングケース・アセンブリ１００（図１２、図１３）のさまざまな設計および構成の特徴を一般に提供する。そしてそれは、その主要コンポーネントとしてキャリングケース１０５、インタロックメカニズム（例えば、図８の８００）およびウェアラブル・ストラップ１１００を有する。図示の実施形態の特定の態様は、図を参照して後述する。一般的開示によれば、キャリングケース１０５は、裏壁部分、下壁部分、および側壁部分を形成しているファブリックまたは他の丈夫な材料によって作られる。これらの部分は、一緒に縫われる材料の別々のピースによって形成されることができるか、または、材料の単一の連続したピースを形成することができる。側壁および下壁の縁または端は、次いで、後述のスクリーン・アクセス面１１０を提供する前壁に添付される。前壁は、丈夫で、薄くて、透明な材料（例えば透明フィルムまたはカバー）から成ることができる。裏壁、側壁、下壁および前壁の組み合わせは、見えるスクリーンを有する携帯電子デバイスがボリュームの範囲内に配置されることができるために充分な幅と高さと深さのある寸法の内部容積を提供する。図３に示すように、携帯電子デバイス３０５は、前壁の方向において見えるスクリーンを有するキャリングケース内に配置される。キャリングケース１０５内にこの向きに携帯電子デバイスを配置することによって、見えるスクリーンは、それとのユーザ・インタフェーシングのための前壁の中で露出される。見えるスクリーンがタッチスクリーンであるときに、前壁の中のスクリーン・アクセス面１１０は、タッチスクリーンを覆う。そして、ユーザは、キャリングケース１０５からデバイスを取り出す必要なしに、透明な前壁を通してタッチスクリーンと直接入出力を行うことが可能である。
【００２３】
代わりの実施形態において、前壁は、周辺部のまわりの、そして中心部において開いている（すなわち、実際の物理的材料のない）、中心から離れた壁を有して実際に作られることができる。そうすると、電子デバイスのスクリーンへのダイレクトアクセスが提供される。両方のタイプの前壁構造に適用できるさらに別の実施形態において、前壁を覆うカバーフラップは、設けられることができる。カバーフラップは、任意の材料でできていることができるが、通常、デバイスがキャリングケース内で輸送される間、電子デバイスが直接見えるのを防止するように、透明ではない。ユーザが電子デバイスのスクリーンにアクセスすることを望むときに、電子デバイスのユーザは、次いで、単にフラップを脇に引くことができる。
【００２４】
開示の別の態様によれば、キャリングケースは、上壁および、両側壁のうちの少なくとも１つおよび上壁において配置されるジッパーを含む。一実施形態において、ジッパーは、下壁および上壁に部分的に配置されることができて、側壁の１つに沿って延びることができる。１つ以上の実施形態において、ジッパーは、一重壁に沿って、または多重壁に沿って配置されることができる。ジッパーが開口位置にあるときに、困難なく電子デバイスをキャリングケースに挿入するために、設けられる開口は、十分に大きい。デバイスがキャリングケースに挿入されることができて、その中に確保されることができて、そして、１つ以上の他の壁に一端で添付されることができ、かつ、ベルクロ（登録商標）またはスナップ留めコネクタまたは他のコネクタによって他端でキャリングケースに固定される上カバーを含むが、その使用に制限されない異なるメカニズムを、他の実施形態は、提供することができると認識される。さらに別の実施形態は、例えば、前壁の上縁の内面を裏壁の上縁に一時的に取り付けるために、キャリングケースの上部でベルクロ（登録商標）または他の接着メカニズムの使用を含むことができる。このように、電子デバイスは、ジッパー・オープナまたは他のメカニズム（例えばベルクロまたはボタン）を通して、キャリングケースから容易に挿入されることができて、取り出されることができる。
【００２５】
開示の他の態様として、前壁とキャリングケースの残部との間の接続点は、縫い目を提供する。いくつかの利用可能なメカニズムのうちの１つ、または、電子デバイスがキャリングケースの容積の範囲内に配置されるにつれて、リリースしなくておよび／または壁の通常の内部または外部ストレッチングによって容易に破壊されることができない強い丈夫な結合をつくるボンディング方法論によって、キャリング壁の接続壁縁は、前壁に添付されることができる。縫い目またはキャリングケースに適用される張力または他の力に応じた分離に抵抗するために、縫い目もつくられる。
【００２６】
開示の一態様によれば、キャリング・アセンブリは、ストラップを含みおよび／またはそれが利用されるように設計される。一実施形態において、ストラップは、丈夫な材料でできていて、ショルダストラップまたはウエストまわりのキャリングベルトとして設計された基本的なループ（すなわち、弾薬帯／サッシュ）である。キャリングケースは、インタロックメカニズムを介してストラップに着脱自在に接続している。そうすると、ユーザは、電子デバイスを有するキャリングケースをストラップへのその接続から取り外すことができて、電子デバイスをキャリングケース内にあるまま利用することができる。一旦電子デバイスの使用が完了すると、ユーザは、次いで、インタロックメカニズムを利用してキャリングケースをストラップに容易に再接続することができる。
【００２７】
このように、開示の１つの関連した態様として、キャリングケース・アセンブリは、雌のレセプタクルおよび、雌のレセプタクルに挿入可能に接続しておよび／またはラッチ係合する雄のアフォーダンスから成るインタロックメカニズムを含む。インタロックメカニズムの第１部分（雄または雌）は、キャリングの裏壁および／または上壁に取り付けられる。一実施形態において、プッシュ・バックルおよびラッチ・デバイスは、雄雌パーツを提供するために利用される。そしてそれは、接続されるときに確実に連結する。重要なことに、一旦連結されると、２つのパーツは、インタロックメカニズムの１つ以上のリリース・アフォーダンスのユーザ操作によってのみ解錠されることができる。この態様は、特定の、慎重なユーザーアクションなしに、キャリングケースがストラップから分離されるのを防止する。一実施形態において、ラッチ・デバイス（短く、ラッチ板またはラッチと技術的に呼ばれる）は、自動車のシートベルト・バックル・アセンブリまたは飛行機のシート・バックル・アセンブリと同様に構成される。説明のために、参照は、「バックル」としての雌（レセプタ）パーツおよび「ラッチ」としての挿入可能な雄パーツになされる。一実施によれば、バックルは、キャリングケースまたはバッグの上部に取り付けられるかまたは固定される。後述するように、ストラップに取り付けられるときに、バックルの位置は、キャリングのバランスを考慮して、通常、中央上部でありうる。キャリングおよび／またはがキャリングケースが収容するように設計されるデバイスの重量およびディメンショナリティに応じて、他の位置は、望ましくなりうる。一実施形態によれば、ラッチは、ストラップに、永続的にまたは一時的に取り付けられることができる。バックルおよびラッチ・デバイスのインタロックメカニズムの雄雌パーツの位置は、キャリングケースおよびストラップとの接続と関連して逆にされることができると認識される。自動車および飛行機において利用されるシートベルトバックルと設計において同様であることを示すとはいえ、バックルは、非常に異なって設計されることができて、異なる形状をとることができて、設計オプションとして、係止具の異なる形を提供することができると認識される。
【００２８】
一実施形態によれば、着脱可能なキャリングケース・アセンブリは、ｉＰａｄ（登録商標）／ｅＲｅａｄｅｒ（登録商標）メッセンジャ・バッグ・システムである。ｉＰａｄ（登録商標）／ｅＲｅａｄｅｒ（登録商標）メッセンジャ・バッグ・システムは、キャリングケースおよび、ｉＰａｄ／ｅＲｅａｄｅｒキャリングケース（またはバッグ）がインタロックメカニズムの使用を通して、即時の使用およびアクセスのためにバッグ・ストラップから即座に取り外すことができて、次いで容易なハンズフリーキャリングのために再取り付けすることができるメッセンジャ・バッグ・ストラップ、のアセンブリである。Ｃｌｉｐ  ａｎｄ  Ｃａｒｒｙ（登録商標）ケースに配置されるｉＰａｄ／ｅＲｅａｄｅｒは、プッシュ・バックルまたはラッチのリリース・メカニズムを用いてストラップからキャリングを簡単に取り外すことによって、次いでキャリングケースの透明な（または開いた）前壁を通してｉＰａｄ／ｅＲｅａｄｅｒのスクリーンまたは表面に関与することによって、アクセス可能である。
【００２９】
一実施形態によれば、ストラップは、追加のアイテム用の付加的なポケットまたは場所を含むことができる。また、ショルダストラップとして作られるときに、ストラップは、いずれの肩から着用されることもできて、調節可能でありえる。一態様によれば、ｉＰａｄ（登録商標）／ｅＲｅａｄｅｒ（登録商標）キャリングケースは、ストラップに取り付けられるときに、ストラップになされる調整により部分的に決定されて、ユーザのヒップまわりにつるす。この位置で、ユーザは、雌バックル（またはリリース・ラッチ）上のボタンを押すことによって、ストラップからキャリングケースを容易に取り外すことができる。次いで、ユーザは、キャリングケースの前面で見えるタッチスクリーンを通してｉＰａｄ／ｅＲｅａｄｅｒを操作することが可能である。一旦ユーザがデバイスを終了すると、ユーザは、単にバックルおよびラッチを一緒に再接続することができる。そして、容易にｃｌｉｐ−ｎ−ｃａｒｒｙ（登録商標）アプリケーションを提供する。
【００３０】
一実施形態において、ケーシング、インタロックメカニズムおよびストラップのアセンブリは、ストラップが肩を越えてまたはウエストまわりに位置するときに、ケーシングの前壁がキャリングケース・アセンブリを着用するユーザのボディまたはヒップの方へ一般に向くことができるように設計される。
【００３１】
一実施形態によれば、キャリングケースの裏側は、アクセサリまたは他のデバイス（例えば、限定しないが、より大きなノート・パソコン）のためのポケットを含む。一実施形態において、ポケットは、ゴムまたはプラスチックでできていることが可能であり、輪郭をつけた保持のための余分のグリップ材料を提供することができる。一実施形態において、余分のグリップ材料は、バックルの裏側上に用いられることもできる。
【００３２】
一実施形態において、裏側はまた、折りたたみフラップを有する。そしてそれによって、キャリングケースは、直立に立つことができる。これは、挿入された電子デバイスのスクリーンのテーブルビューイングまたは、キーボードまたは他の外部入力装置を有するデバイスの使用をさらに可能にする。示すように、折りたたみフラップは、キャリングケースがデバイス用ホルダーとして担持されるかまたは用いられるときに、平坦なアセンブリを提示するためにつぶれる複数の可動部品を有して構成されることができる。折りたたみフラップは、次いで、キャリングケースを直立位置に保持することをサポートする１つ以上のアームを提供するために、手動で再構成されることができる。一実施形態において、折りたたみフラップは、キャリングケースから取り外し可能であり、必要に応じて取り付けられることができる。折りたたみフラップは、次いで、キャリングケースの後ろまたはストラップ上に設けられるポケットの１つの中に保持されることができる。
【００３３】
一実施形態において、ホールは、カメラレンズおよび携帯電子デバイスのオン／オフスイッチ用のものを含む。携帯電子デバイスのスクリーンは、次いで、スクリーン・アクセス面を通して見える。そしてそれは、透明フィルム・カバーを含むことができる。ジッパーは、区画へのアクセスを可能にする。携帯電子デバイスのために必要とされるときに、キャリングケース１０５は、外部ケーシングの底部中央に充電器の挿入のための開口を含むことができる。一実施形態において、キャリングケース１０５に他のアクセサリを取り付けるために、安全な金属リングまたは他のアフォーダンス（例えば、Ｄリング）は、外部ケーシングの底部に掛かっている。
【００３４】
ここで、図を参照すると、そして特に同様の要素が同じ参照番号を備える図１〜図３を参照すると、例えば、例えばｉＰＡＤ（登録商標）またはタブレットまたはラップトップのような携帯電子デバイス（全体として図３の３０５）用のキャリングケース・アセンブリ１００（ストラップなしで）のコンポーネントの３つの異なる図が示される。キャリングケース・アセンブリ１００は、（破線の輪郭を用いて示す）キャリングケース１０５を含む。キャリングケース１０５は、外部ケーシング（一般に、キャリングケース１０５の構造を作っているファブリック）を備え、外部ケーシングは、（外部ケーシングの内部に）区画３００を作り、その中には、携帯電子デバイス３０５を保管および使用のために挿入することができる（図４参照）。キャリングケース・アセンブリ１０５は、電子デバイス３０５がキャリングケース１０５の区画３００内に挿入されたときに、区画３００の中に携帯電子デバイス３０５を確保するための手段（例えば、ジッパーハンドル１１５を有するジッパー２１５）をさらに含む。キャリングケース１０５内に携帯電子デバイス３０５を確保するための手段がジッパー２１５として示されるとはいえ、他のおよび／または追加の手段が別の実施形態において利用されることができるものと理解される。したがって、例えば、手段は、ベルクロ（登録商標）式の手段を含むことができるか、あるいは、挿入された電子デバイス３０５が使用の間およびキャリングケース・アセンブリ１００の移動の間落下することを防止するために、開いた区画３００の１つの表面３１５を区画３００の対向する表面３２０と確実に接続するボタンのセットまたはスナップ留めコンポーネントのセットまたは１つ以上のタイまたはストリングまたはワイヤを含むことができる。一旦携帯電子デバイス３０５が区画３００に挿入されると、区画の対向する表面どうしを一緒に固定するためのより永続的な手段を用いることによって、その別の実施形態が携帯電子デバイス３０５のキャリングケース・アセンブリ１０５への永続的な挿入を可能にできる点に注意することも、重要である。したがって、これらの別の実施形態では、接着剤またはエポキシの使用または表面どうしを一緒に縫い合わせることが提供されることもできる。これらの永続的な実施は、例えば携帯電子デバイス３０５の製造中またはその後に、工場出荷時の設定において行うことができる。したがって、携帯電子デバイス３０５の即時の携帯性態様をさらに強化する。
【００３５】
図１〜図３に再び集中すると、キャリングケース・アセンブリ１００はまた、キャリングケース１０５に取り付けられて、インタロックメカニズム８００の第２コンポーネント１６０とともに構成されるユーザウェアラブル・ストラップ１５０（図９〜図１１参照）にキャリングケース１０５を掛けるために利用されるインタロックメカニズム（全体として図８の８００）の第１コンポーネント１２５を含む。一実施形態（図示せず）において、第１コンポーネント１２５は、キャリングケース１０５の外面に直接接続されることができる。しかしながら、図示の実施形態によれば、キャリングケース１０５は、第１コンポーネント１２５が固定的に取り付けられる支持構造１３０の延長を含む。キャリングケース・アセンブリ１００のバッグまたはデバイス保持コンポーネントであるとしてキャリングケース１０５が破線のエンクロージャによって輪郭を描写されるとはいえ、キャリングケース１０５の構造は、支持構造１３０の延長を含むと認識される。そしてそれは、キャリングケース１０５を通って、または外部ケーシングのフレームに沿って、またはいくらかの他の構成において、垂直に延びることができる。インタロックメカニズム８００の第１コンポーネント１２５を添付するための接続ベースを提供するために、支持構造１３０は、キャリングケース１０５の上部を越えて上方へ延びる。一実施形態において、この支持構造１３０は、インタロックメカニズム８００（例えば、図１０参照）の第２コンポーネント１６０と連結するための第１コンポーネント（１２５）の機能性を提供するようにそれ自身で構成されることができる。支持構造１３０に加えて、キャリングケース１０５は、キャリングケース・アセンブリ１００を着用しているユーザ１１０５（図１１〜図１３参照）のボディにぶつかるキャリングケース１０５の衝撃を吸収するために、追加のクッション材（特に図示されない）を含むように構成されることができる。キャリングケース１０５は、堅いバッグ、柔軟なバッグ、スリーブ、または単に携帯電子デバイス３０５の挿入を可能にするファブリック・エンクロージャでありえる。キャリングケース１０５は、成形可能なおよび注射可能なプラスチック、革、他の織物、ファブリック、または他の構造的に可能な材料を使用して作製することもできる。キャリングケース１０５の材料および／または構造または設計に関係なく、キャリングケース１０５および特に着脱可能なキャリングケース１４０は、インタロックメカニズム８００を介してユーザウェアラブル・ストラップ１５０に取り付け可能およびそれから取り外し可能なキャリングケース１０５を可能にする少なくとも１つのアフォーダンスを含む。キャリングケース１０５に対する（例えば、しかし第１コンポーネント１２５に限られない）このアフォーダンスの取付けおよび／または包含は、キャリングケース１０５を、着脱可能なキャリングケース１４０にするかまたは呼ぶ。一実施形態において、このアフォーダンスは、ストラップまたは、図示するようにそれ自体の延長を有しない、キャリングケース１０５を作っているファブリックに縫い合わせるかまたはそれから延びたファブリックを含むことができる。これらのおよび他の代わりの実施形態は、等価な構成であるとして開示によって考察される。
【００３６】
特に図２を参照すると、それは、キャリングケース１０５の正面図を示す。示されるように、インタロックメカニズム８００（図８）の第１コンポーネント１２５は、ラッチ（図示せず）の挿入を受け入れるためのスロット２０５を有するバックルである。一実施形態において、（第１コンポーネント１２５としての）バックルはまた、インタロックメカニズム８００のためのロックとして作動しうるリリースボタン２００を含む。キャリングケース１０５の前面の中に示されるのは、挿入された携帯電子デバイス３０５のカメラレンズのためのアイホールまたはスロット２１０である。ジッパーハンドル１１５は、ジッパー２１５に取り付けて示される。そしてそれは、キャリングケース１０５の側部に沿ってキャリングケース１０５の底面まで移動する。前面の下部の中には、挿入された携帯電子デバイス３０５のオン／オフボタンへのユーザーアクセスを可能にする別のホールまたはスロット２２０がある。キャリングケースの底面の中に位置するのは、挿入された携帯電子デバイス３０５の充電ポートへのアクセスを提供するさらに別のスロット２２５である。加えて、キャリングケースの底部を離れて延びて、そしてそれに確実に取り付けられるのは、金属または他の材料でできた、そして１つ以上のアクセサリが取り付けられることができるアクセサリ・バー２３０である。
【００３７】
加えて、キャリングケース１０５は、挿入された携帯電子デバイス３０５のスクリーン（図３の３１０参照）への見えるアクセスを提供する外部ケーシングの範囲内のスクリーン・アクセス面１１０を含む。最も単純な実施として、スクリーン・アクセス面は、挿入された携帯電子デバイス３０５のスクリーン３１０の周辺まわりに延びるように形づくられる周囲エッジを有する外部ケースの範囲内の開口である。しかしながら、図示の実施形態の中では、スクリーン・アクセス面１１０は、挿入された携帯電子デバイス３０５のスクリーン３１０の表面を覆って保護する材料を含む物理レイヤーである。加えて、スクリーン・アクセス面１１０は、材料の外面上に受ける触覚入力をスクリーン・アクセス面１１０が携帯電子デバイス３０５のスクリーン３１０に移すことを可能にする材料によって作られることができる。触覚入力のこの転送は、携帯電子デバイス３０５がタッチスクリーンインタフェースを有するときに、（スクリーン３１０を介して）携帯電子デバイス３０５の外部コントロールを許容する。携帯電子デバイス３０５のスクリーンが見える少なくとも１つの実施形態において、スクリーン・アクセス面１１０は、透明な材料から作られる。図に示されるように、インタロックメカニズム８００の第１コンポーネント１２５は、第１コンポーネント１２５が第２コンポーネント１６０と連結されるときに、キャリングケース・アセンブリ１００を着用しているユーザのボディの方へ向くべき挿入された携帯電子デバイス３０５のスクリーン３１０を可能にする向きにおいて（図１０〜図１２参照）、キャリングケース１０５の上部に位置する。
【００３８】
例えば、スクリーン・アクセス面１１０が埋め込まれた表面上にキャリングケース１０５が落とされる場合に、キャリングケース１０５の物理的衝撃に起因してスクリーン３１０を損傷から保護するために、上記の導入されたクッション部分（すなわち、クッション材）は、スクリーン・アクセス面１１０の周辺部の中に位置することができる。キャリングケース１０５が他のオブジェクトと強力に接触するときに、クッション材は、キャリングケース・アセンブリ１００を着用しているユーザのボディにぶつかるキャリングケース１０５の衝撃を吸収して、挿入された携帯電子デバイス３０５を損傷から保護する。
【００３９】
１つ以上の実施形態において、そして図４に示すように、キャリングケース１０５および／またはより一般的にキャリングケース・アセンブリ１００は、カバーフラップ４００を含む。カバーフラップ４００は、スクリーン・アクセス面１１０の周辺部４０５に取り付けられて、（ｉ）挿入された携帯電子デバイス３０５のスクリーン３１０をカバーしてそれへのアクセスを防止する（破線および陰を有するファントムで示す）閉位置、および、（ｉｉ）スクリーン・アクセス面１１０を露出させる（図示の）開位置、のうちの１つに移動可能である。実施される特定の実施形態に応じて、カバーフラップ４００は、（ａ）キャリングケースの周辺部４０５の一端に（永続的に）添付されるか、または（ｂ）キャリングケースとは別のコンポーネント（図示せず）、のうちの１つでありえる。別のコンポーネントであるとき、カバーフラップ４００は、１つ以上の接着手段４１５を介してスクリーン・アクセス面１１０の周辺部４０５に着脱自在に取り付けられる。カバーフラップ４００の一端が周辺部４０５に永続的に取り付けられるときに、他端は、接着手段４１５を含むこともできる。そしてそれは、閉位置にあるときにカバーフラップが適所に固定されることを可能にする。示すように、接着手段４１５は、カバーフラップ上に位置する第１アタッチメント４１５Ａ、および、スクリーン・アクセス面１１０に位置する第２アタッチメント４１５Ｂを含む。１つ以上の実施形態によれば、携帯電子デバイス３０５を区画３００の中に確保するための上記の導入される手段、およびカバーフラップ４００のために利用される接着手段４１５は、ジッパー、ベルクロ（登録商標）接続、外部ケーシングのファブリックの対向するホールをともなうボタン、留め金、ラッチ、ストリング、およびスナップ留めボタン機構、二重インタロック磁石、その他、のうちの１つ以上を含むことができる。したがって、カバーフラップ４００は、カバーフラップ４００の１つ以上の周辺部４０５に１つ以上の接着手段４１５を含む。そして、カバーフラップ４００の少なくとも一端を固定するためのこの接着手段４１５の使用は、カバーフラップ４００がスクリーン・アクセス面１１０の対向する周辺部に確実に取り付けられることを可能にする。
【００４０】
図４に示される少なくとも１つの実施形態において、（破線の概略を用いたファントムに示す）ユーザインタフェースデバイス４２５は、カバーフラップ４００の内面に埋め込まれる。カバーフラップ４００が開位置にあるときに（図４）、ユーザインタフェースデバイス４２５は、利用できる。挿入された携帯電子デバイス３０５とのユーザインタフェースデバイス４５０の使用をサポートするために、ユーザインタフェースデバイス４５０が挿入された携帯電子デバイス３０５に対して通信的に結合することを可能にする通信メカニズム（ファントムの箱４３０として全体的に示す）も、設けられる。通信メカニズム４６０は、（ｉ）カバーフラップ４００から区画３００の内部まで延びて、挿入された携帯電子デバイス３０５への挿入用の接続端部を有するワイヤ接続、および（ｉｉ）ユーザインタフェースデバイス４５０を用いて挿入された携帯電子デバイス３０５のペアリングに続き、つくられた近距離無線チャネル（例えば、ブルートゥースまたはＮＦＣまたは赤外線）を介して挿入された携帯電子デバイス３０５と接続するワイヤレス接続、のうちの１つ以上を含む。少なくとも１つの実施形態において、ユーザインタフェースデバイス４２５は、ＷｉＦｉキーボードである。
【００４１】
図５をここで参照すると、それは、キャリングケース１０５の背面図を示し、一実施形態よる背面外部パネルを示す。背面外部パネルは、インタロックメカニズム８００の第２コンポーネント１６０に対する第１コンポーネント１２５の取り外しおよび／または取り付けの間、ユーザがハンドル５０５を用いて着脱可能なキャリングケース１４０を確実に保持することを可能にするゴムまたは他の把持可能な材料から成るハンドル５０５を提供する。カメラアイホール５１０およびアクセサリを保持するためのポケット１２０ａ、１２０ｂも示される。ポケットは、それぞれのジッパー１２２ａ、１２２ｂを有して示される。加えて、キャリングケース１０５の背面外部パネルは、キャリングケース１０５が直立した位置または向きに置かれることを可能にするピボットを提供するために、キャリングケース１０５から離れて延長可能である少なくとも１つの部分を有する折りたたみフラップ５２０を含む。図５および図６によって設けられるように、折りたたみフラップ５２０は、キャリングケース１０５が垂直に直立した位置に保持されないときに（図５参照）、キャリングケース１０５の表面に隣接した平坦なアセンブリを示すように折りたたみ可能である複数の可動部品または部分を有して構成される。少なくとも１つの実施形態において、折りたたみフラップ５２０は、本明細書で定義されるように、キャリングケース１０５から完全に取り外し可能であり、そして、１つ以上の接着手段を用いて取り付け可能である。
【００４２】
図５のキャリングケース１０５に注目するときに、一般的実施の詳細として、キャリングケース１０５の区画３００は、特殊なタイプ、形状、およびサイズの携帯電子デバイス３０５の挿入およびサポートを可能にするサイズ寸法を有する。１つの態様として、キャリングケース１０５の区画３００の寸法は、携帯電子デバイス３０５の複数の異なるサイズに適合するために調節可能である。また、キャリングケース１０５は、特定のデバイス用に、または、通常、複数の異なるデバイスを収容するために、設計されることができる。例えば、キャリングケース１０５は、後ろ向きのスクリーンを有する単一パネル・デバイス（例えばタブレット）の１つのためのケースとして構成されることができる。別の例として、キャリングケース１０５は、区画への完全な挿入、または区画への部分的な挿入、のうちの１つにおいて、マルチパネル電子デバイス（例えばラップトップコンピュータ）を保持するように構成されることができる。キャリングケース１０５がラップトップコンピュータの部分的な挿入を可能にするように設計されているときに、ラップトップキーボードおよびラップトップスクリーンは、キャリングケース１０５のカバーフラップ３００およびスクリーン・アクセス面１１０の対向面の内側に配置されることができる。この実施形態において、キャリングケース１０５は、カバーフラップ４００を含む。カバーフラップ４００は、スクリーン・アクセス面１１０の周辺部４０５に取り付けられて、（ｉ）ラップトップをカバーしてそれへのアクセスを防止する閉位置、および、（ｉｉ）カバーフラップ４００およびキャリングケース１０５の対向面においてラップトップキーボードおよびラップトップスクリーンを露出させる開位置、のうちの１つに移動可能である。この実施形態に対する１つのありうる拡張として、キャリングケース１０５は、カバーフラップ４００およびキャリングケース１０５を閉位置に保つために、カバーフラップ４００の外部部分およびキャリングケース１０５の外部部分にわたって延びるセキュリティ・ストラップ（図示せず）を含むこともできる。
【００４３】
図１、図５、図６によりさらに示されるように、キャリングケース１０５は、インタロックメカニズム８００の第１コンポーネントの内側位置から離れて向いている外側面に配置される少なくとも１つのポケット１２０を含むことができる。２つのポケットが見かけの等しいサイズおよび／または形状で示されるとはいえ、キャリングケース１０５は、ポケットなしで、異なる形状およびサイズの複数のポケットありで、ジッパー、スナップイン、ベルクロ（登録商標）、または他の閉鎖アフォーダンスなどを有するポケットありで、設計されることができると認識される。また、さらに示されるように、挿入された携帯電子デバイス３０５の入／出力ジャック、電力ポート、通信ポート、ユーザーインターフェース・アフォーダンス、およびカメラのうちの対応する１つ以上へのアクセスをサポートするために、キャリングケース１０５は、外部ケーシングの範囲内に１つ以上の開口１５０を含むことができる。携帯電子デバイス３０５にともなうさまざまな機能を実行するアクセスは、それから、１つ以上の開口１５０を介して提供されることができる。その一方で、挿入された個人用電子デバイス３０５は、キャリングケース１０５内に位置する。また、図５のさらなる参照とともに、例示の実施形態の少なくとも１つにおいて、キャリングケース１０５は、キャリングケース１０５からユーザウェアラブル・ストラップ（図１１の１１００参照）上のリトラクション・デバイス（図１１の１１２０参照）まで延びるワイヤの固定可能な接続を可能にする取付けアフォーダンス５５０（例えば、ホールまたはコネクタ）をさらに含む。ワイヤ５５５および取付けアフォーダンス５５０の包含は、キャリングケース１０５が移動可能なユーザウェアラブル・ストラップ１１００からの距離を制限する。取付けアフォーダンス５５０の位置は、示されるそれと異なることができて、図は、単に１つのありうる位置の例として使用されることを意図するだけであると認識される。１つ以上の設計選択に基づいて、他の実施形態は、着脱可能なキャリングケース１４０の異なる位置に取付けアフォーダンスを提供することができる。なお追加的な実施形態は、キャリングケース１０５の既存の取付け構造（例えばアクセサリ・バー２３０）を利用する。
【００４４】
図７Ａおよび図７Ｂをここで参照すると、一実施形態において、キャリングケース・アセンブリ１００は、ユーザウェアラブル・ストラップ１５０に取り付けるために設計される保持クリップ７００を含む。保持クリップ７００は、（ｉ）ユーザウェアラブル・ストラップ１５０に保持ラッチを確実に取り付ける第１接続部７０５、および（ｉｉ）インタロックメカニズム８００の第２コンポーネントとして役立つ第２接続部７１５、を有して構成される。第２接続部７１５は、キャリングケース１０５に取り付けられる第１コンポーネント１２５を受け入れて、キャリングケース１０５が保持クリップ７００に固定的におよび着脱自在に、そしてユーザウェアラブル・ストラップ１５０に間接的に取り付けられることを可能にする。保持クリップ７００は、携帯電子デバイス３０５およびキャリングケース１０５に挿入された他のオブジェクトを有するキャリングケース１０５をクリップ７００から離れて移動可能につるすことをサポートする圧縮力および張力の強さを有する材料（例えば、丈夫な金属）でできている。
【００４５】
図７に示すように、保持クリップ７００がユーザウェアラブル・ストラップ１５０から分離した着脱可能のアイテムであるときに、保持クリップ７００は、ユーザウェアラブル・ストラップ１１００の内部にすべり込むために、垂直に下方へ延びる第１部分または第１接続部７０５、および、ユーザウェアラブル・ストラップ１５０に対する確実な接続を可能にする幅および長さ寸法を有する、第１部分７０５と中間部分７１０との間の細長い受け入れ部７２０を提供するために、第１部分７０５に接続されて、第１部分７０５を有する接続端部７１５から離れて下方へ延びる中間部分７１０、を含む。保持クリップ７００は、中間部分７１０に接続して、デバイス接続部分７３０との第１コンポーネント１２５の効率的な連結をサポートする角度で中間部分７１０から延びるデバイス接続部分７３０をさらに含む。デバイス接続部分７３０は、インタロックメカニズム８００の第２コンポーネント（１６０）である特定の寸法を有して構成される。例示の実施形態の一態様によれば、図７Ｂによって提供されるように、保持クリップ７００の第１部分７０５は、保持クリップ７００に取り付けられるときに、キャリングケース１０５の横移動をサポートするために、中間部分７１０を有する接続端部７１５から対向する円形端部７３５において終端する。図が保持クリップ７００の特別な形状を提供するとはいえ、説明は、開示を制限することを意味しない。保持クリップの他の形またはデザインは、可能であり、開示の別の実施形態の中でカバーされる。例えば、対向端部でストラップ１５０およびバックル８１０の両方に挿入可能である単一部分の保持クリップは、実施されることができる。したがって、本明細書において提供される説明は、等価構造の全ての範囲を含むためにそれらの最も幅広いありうる読み込みを与えられる。
【００４６】
図８を参照すると、第２コンポーネントに挿入される第１コンポーネントまたはその逆を含むインタロックメカニズム８００の一例が示される。この図において、インタロックメカニズム８００は、第１コンポーネント１２５を表すバックル８１０、および第２コンポーネント１６０を表すデバイス接続部分７３０を有する保持クリップ７００を含む。第１コンポーネント対第２コンポーネントである特定のコンポーネントは、第１コンポーネントおよび第２コンポーネントのうちの１つがバックルであり、そして第１コンポーネントおよび第２コンポーネントのうちの次の１つがクリップであることを用いて、変えることができると認識される。１つ以上の実施形態において、バックルの角度（垂直に対する向き）は、ウェアラブル・ストラップ１５０に取り付けられるときに、キャリングケース１０５の異なる向きに適応するために調節可能である。
【００４７】
また、一実施形態において、インタロックメカニズム８００は、バックル８１０へのクリップ７００の挿入に続いてインタロックメカニズム８００が係止されることを可能にする係止コンポーネント８１５を含む。係止コンポーネント８１５を設定することは、バックル８１０および係止コンポーネント８１５の実際のユーザ操作なしにクリップ７００がバックル８１０から取り外されるのを防止する。一実施形態において、クリップ７００がバックル８１０に挿入されるときはいつでも、係止コンポーネント８１５は、いかなるユーザ操作もなしに適所において自動的に係止する。
【００４８】
代替の実施形態において、インタロックメカニズム８００は、第１コンポーネントである第１の磁石、および第２コンポーネントである第２の磁石を有する、一対の磁石であることができる。選択された磁石は、磁石が互いに連結されるときに、適所にキャリングケース１０５を保って、キャリングケース１０５の移動を可能にする充分な磁気力を有する。磁石は、キャリングケース１０５およびウェアラブル・ストラップ１１００のファブリックに、それぞれ縫いつけられることができる。
【００４９】
バックル８１０ならびにそれと連結するために設けられるラッチの特定の構成として設けられる（第１または第２の）コンポーネントのうちの実際の１つは、図９および図１０の別の実施形態とともに示されるように、実施に応じて変化することができると認識される。図９により示される１つの別の実施形態において、ユーザウェアラブル・ストラップ１５０は、第１接続部９１０でユーザウェアラブル・ストラップ１５０に永続的に添付される埋込み保持クリップ１６０を有して設計される。反対に、図１０については、バックル１０２５は、ユーザウェアラブル・ベルト１０００に取り付けられて、キャリングケース１０５に添付される下方へ曲げられたラッチ１０１０を受け入れる。図８および図９の両方に示すように、キャリングケース１０５に取り付けられる第１コンポーネント１２５の第２コンポーネントとの効率的な連結（すなわち、保持クリップ７００／１６０の突出している延長）を可能にするために、保持クリップ７００および埋込み保持クリップ１６０は、ユーザウェアラブル・ストラップ１５０に関してある角度でそれぞれ配置される。
【００５０】
図１１〜図１３をここで参照すると、キャリングケース・アセンブリ１００の他のひとつコンポーネントの例（特にユーザウェアラブル・ストラップ１５０）が示される。ユーザウェアラブル・ストラップ１１００は、（ａ）キャリングケース・アセンブリを着用するユーザの少なくとも一方の肩から斜めにかけるサッシュのように着用可能な肩掛けストラップ、（ｂ）例えば、ヒップまたはウエストを含む１つ以上のボディパーツのまわりに着用可能なベルト、および（ｃ）首まわりのストラップ、のうちの１つとして構成されることができる。ユーザウェアラブル・ストラップ１１００は、そこに挿入される携帯電子デバイス３０５を有するキャリングケース１０５の重量を支持する丈夫な材料のループを備える。キャリングケース１０５は、インタロックメカニズム８００（図８）によってユーザウェアラブル・ストラップ１５０に取り付けられる。図１１〜図１３の実施形態において、ユーザウェアラブル・ストラップ１５０は、キャリングケース・アセンブリ１００を着用するユーザ１１０５の少なくとも一方の肩から斜めにかけるループを含む。ループは、ユーザの背の高さおよび胴回りの寸法に適応するためにサイズを設定される。一実施形態によれば、ウェアラブル・ストラップ１５０はまた、リトラクションメカニズム（図示せず）および、ウェアラブル・ストラップ１５０から離れてストリングの長さの距離までキャリングケース１０５の制限された移動を可能にするために、一端がリトラクションメカニズム１１２５に接続されて、他端がキャリングケース１０５に取り付け可能であるワイヤ５５５、を有するリトラクション・コンポーネント１１２０を含む。一実施形態において、リトラクション・コンポーネント１１２０は、しなやかなワイヤでありうる。さらに例示されるように、ユーザウェアラブル・ストラップ１５０が着用される一方で、ユーザウェアラブル・ストラップ１５０は、ユーザ１１０５の１つ以上の身の回り品を確実に保つための異なる形状および寸法の複数のポケットを含むことができる。加えて、ユーザウェアラブル・ストラップ１５０は、調節可能でありえて、異なる長さにフィットすることができる。
【００５１】
実施形態によれば、そして図８〜図１０に示すように、キャリングケース１０５は、それに添付されるインタロックメカニズム８００の第１コンポーネント部品を含む。ユーザウェアラブル・ストラップ１５０はまた、ループの１つの部分に固定的に埋め込まれるインタロックメカニズム８００の第２コンポーネント部品を含む。第２コンポーネントは、次いで、キャリングケース１０５がループの部分に取り付けられるときに、インタロックメカニズム８００の第１コンポーネント部品を受け入れる。
【００５２】
さまざまな図の上記説明は、ｉＰａｄ（登録商標）／ｅＲｅａｄｅｒ（登録商標）または他のタブレットデバイスまたはラップトップコンピュータ・デバイス用の超小型軽量のバッグまたはケースとして設計されることができるキャリングケース・アセンブリ１００を提供する。限定されないが、キャリングケース・アセンブリ１００は、多数の異なる携帯電子デバイスを運ぶために利用することもできる。キャリングケース１０５は、着脱可能なアイテムであり、キャリングケース・アセンブリ１００と関連してこのように記載されうると認識される。
【００５３】
開示が例示的実施形態に関して記載されたとはいえ、さまざまな変更がなされてもよく、そして、開示の範囲を逸脱しない範囲で等価物がその要素と置換されてもよいことは、当業者によってよく理解される。加えて、その基本的範囲を逸脱しない範囲で開示の教示に特定のシステム、デバイスまたはそのコンポーネントを適合させるために、多くの修正は、なされてもよい。したがって、開示は、この開示を実行するために開示される特定の実施形態に制限されなくて、しかし、開示は、添付の請求の範囲に入るすべての実施形態を含むことが意図される。さらに、第１、第２、等の用語の使用は、いかなる命令または重要性も意味しなくて、しかしむしろ、第１、第２、等の用語は、１つの要素を別のものと区別するために用いる。
【００５４】
本明細書に用いる用語は、特定の実施形態を記載するためだけにあって、開示で制限することを意図しない。本明細書において使用するように、単数形「１」、「１つ」および「それ」は、文脈が別途明らかに指示しない限り、複数形も含むことを意図する。用語「を備える」および／または「を備え」は、この明細書において使用されるときに、定まった特徴、整数、ステップ、動作、要素、および／またはコンポーネントの存在を特定するが、しかし、１つ以上の他の特徴、整数、ステップ、動作、要素、コンポーネント、および／またはそのグループの存在または追加を排除しないと理解される。
【００５５】
本開示の説明は、図示および説明の目的で表わされたが、開示の形において開示を余すところなくまたは制限することを意図しない。多くの修正および変更は、開示の範囲を逸脱しない範囲で当業者にとって明らかである。開示の原則を最もよく説明するために、そして考察される特定の使用に適するように当業者がさまざまな修正を有するさまざまな実施形態のための開示を理解することを可能にするために、記載された実施形態は、選択されて、記載された。
【図１】
2016509701.tif 000003
【図２】
2016509701.tif 000004
【図３Ａ】
2016509701.tif 000005
【図３Ｂ】
2016509701.tif 000006
【図４】
2016509701.tif 000007
【図５】
2016509701.tif 000008
【図６】
2016509701.tif 000009
【図７Ａ】
2016509701.tif 000010
【図７Ｂ】
2016509701.tif 000011
【図８】
2016509701.tif 000012
【図９】
2016509701.tif 000013
【図１０】
2016509701.tif 000014
【図１１】
2016509701.tif 000015
【図１２】
2016509701.tif 000016
【図１３】
2016509701.tif 000017
【国際調査報告】
2016509701.tif 000018